【事件の表示】
　特許第３２１６０４３号「円板体の揚送装置」の請求項１ないし３に係る特許に対する特許異議の申立てについて、次のとおり決定する。
【結　論】
　訂正を認める。
　特許第３２１６０４３号の請求項１に係る特許を維持する。
【理　由】
〔１〕手続の経緯
　特許第3216043号の請求項１〜３に係る発明についての出願は、平成８年８月６日に特許出願され、平成13年８月３日にその発明について特許権の設定登録がされ、その後、その特許について、異議申立人荒川浩二により特許異議の申立てがされ、取消しの理由が通知され、その指定期間内である平成14年11月13日に訂正請求（後日取下げ）がされた後、再度の取消しの理由が通知され、その指定期間内である平成15年１月28日に訂正請求がされたものである。
　
〔２〕訂正の適否についての判断
(1)訂正の内容
　特許権者が求めている訂正の内容は、以下のａ〜ｃのとおりである。
　ａ特許請求の範囲の請求項１に記載される「少なくとも、複数個の円板体（１〜９）が平らに一列に整列して押し上げられ、上方の開口(10)から当該円板体が放出されるようにした通路(12)と、この通路の前記上方の開口(10)を開閉するようにした手段(23)と、この開閉手段によって、前記通路上方の開口(10)を閉じるようにした弾性手段(22)と、前記通路上方の開口(10)を通過して落下する前記円板体を、当該通路の左右いずれかのサイドにガイドするようにした振り分け体(51)と、を備えていることを特徴とした円板体の揚送装置。」を
「少なくとも、複数個の円板体（１〜９）が平らに一列に整列して押し上げられ、上方の開口(10)から当該円板体が放出されるようにした
帯板状
帯板状
、かつ当該帯板状通路の前記押し上げられてくる円板体(１〜９)によって、前記開口(10)が開かれるように移動する開閉
前記円板体（１〜９）が前記開口(10)を通過すると、前記開閉手段(23)が当該円板体の面を押して、円板体を前記帯板状通路(12)の背面側に放出し開口(10)を閉じるようにするための
前記帯板状通路(12)の背面側に放出されて落下する円板体（１〜９）を、当該通路背面側の
ための
　ｂ特許請求の範囲の請求項２、３を削除する。
　ｃ発明の詳細な説明の段落【0004】の記載を「【課題を解決するための手段】本発明は少なくとも、複数個の円板体（１〜９）が平らに一列に整列して押し上げられ、上方の開口(10)から当該円板体が放出されるようにした
帯板状
帯板状
、かつ当該帯板状通路の前記押し上げられてくる円板体(１〜９)によって、前記開口(10)が開かれるように移動する開閉
前記円板体（１〜９）が前記開口(10)を通過すると、前記開閉手段(23)が当該円板体の面を押して、円板体を前記帯板状通路(12)の背面側に放出し開口(10)を閉じるようにするための
前記帯板状通路(12)の背面側に放出されて落下する円板体（１〜９）を、当該通路背面側の
ための
　
(2)訂正の目的の適否、新規事項の有無及び拡張・変更の存否
　上記訂正事項ａにおいて、「帯状板」、「、かつ当該帯板状通路の前記押し上げられてくる円板体(１〜９)によって、前記開口(10)が開かれるように移動する開閉」及び「前記帯板状通路(12)の背面側に放出されて落下する円板体（１〜９）を、当該通路背面側」なる記載は、通路(12)および手段(23)の構造を限定し、振り分け体(51)の機能を明確にするものであるから、特許請求の範囲を減縮、明りょうでない記載の釈明を目的とするものであり、「前記円板体（１〜９）が前記開口(10)を通過すると、前記開閉手段(23)が当該円板体の面を押して、円板体を前記帯板状通路(12)の背面側に放出し、開口(10)を閉じるようにするための」なる記載は弾性手段の機能を明確にするものであるから、明りょうでない記載の釈明を目的とするものである。
　そして、上記訂正事項は、段落【0004】、【0012】、【0013】、【0015】に記載されている事項であるから、新規事項の追加に該当しない。
　上記訂正事項ｂは、特許請求の範囲の削除であるから、特許請求の範囲の減縮を目的とするものであり、新規事項の追加に該当しない。
　上記訂正事項ｃは、上記訂正事項ａの訂正にともない発明の詳細な説明の記載事項を整合させるものであるから、明りょうでない記載の釈明を目的とするものであり、新規事項の追加に該当しない。
　そして、上記いずれの訂正も実質上特許請求の範囲を拡張し、又は変更するものでもない。
　
(3)むすび
　以上のとおりであるから、上記訂正は、特許法第120条の４第２項及び同条第３項において準用する同法第126条第２、３項の規定に適合するので、当該訂正を認める。
　
〔３〕特許異議申立てについての判断
(1)異議申立ての理由の概要
　申立人荒川浩二は、本件請求項１〜３に係る発明は、甲第１号証（米国特許第4518001号明細書）、甲第２号証（特開平5-73749号公報）、甲第３号証（実願昭63-83713号（実開平2-6375号）のマイクロフィルム）、甲第４号証（実用新案登録第2500697号公報）、甲第５号証（実願平1-5607号（実開平2-130067号）のマイクロフィルム）、甲第６号証（特開昭62-58384号公報）、甲第７号証（特開平6-96328号公報）、甲第８号証（特開平6-79058号公報）、甲第９号証（特開平5-274532号公報）、甲第10号証（実願平3-63249号（実開平5-13490号）のCD-ROM）、甲第11号証（実願平1-72157号（実開平3-13582号）のマイクロフィルム）に記載された発明に基いて当業者が容易に発明をすることができたものであるから、特許法第29条第２項の規定により特許を受けることができず、当該発明の特許は取り消されるべきである、と主張する。
　
(2)取消理由通知の概要
ａ）当審が平成14年10月３日付けで通知した取消理由の概要は、請求項１〜３に係る発明は、刊行物１（異議申立人の提出した甲第２号証）、刊行物２（異議申立人の提出した甲第５号証）及び刊行物３（異議申立人の提出した甲第９号証）に記載された発明に基いて、当業者が容易に発明をすることができたものである、というものである。（以下、「取消理由ａ」という。）
ｂ）当審が平成14年12月27日付けで通知した取消理由の概要は、明細書の記載が不備である、というものである。（以下、「取消理由ｂ」という。）
　
(3)本件発明
　上記〔２〕で示したように上記訂正が認められるから、本件の請求項１に係る発明（以下、「本件発明」という。）は、上記訂正請求に係る訂正明細書の特許請求の範囲の請求項１に記載されたとおりのものである。（上記〔２〕、(1)、訂正事項ａ参照）
　
(4)甲号各証に記載された発明
　甲第１号証（米国特許第4518001号明細書）には、コイン処理装置に関し、FIGURE1〜4とともに以下の事項が記載されている。
ａ）「ホッパーによるコインの支払いアセンブリィを含むと共に、前後パネル、第１と第２の縁パネルをもつ長手なダクトを含み、さらに、下方の入口端と上方の出口端との間に、単一のエッジからエッジへの列で並べられた、コインを受け入れるためのチャネルを含み、このチャネルの入口端が、前記ホッパーの支払いシュートと連通し、そして、前記出口端の第１の縁パネルに、単一の出口スロットを含むコイン処理装置において、このコイン処理装置が、コインの放出アセンブリィを備え、このアセンブリィは、前記出口スロットを通るコインを、強制的に放出するための放出部材を含み、この放出部材は、前記出口端近くの前記チャネルに突出して、前記前後パネルにほぼ直角な軸まわりに回転可能であり、かつ、前記第１の縁パネルよりも前記第２の縁パネルの近くで、前記チャネルの幅に関して、前記出口スロットから離れる方向に中心ずれしている、第１の位置と、この第１の位置よりも前記出口スロットから離れている、第２の位置との間を移動可能である、ローラを備えると共に、前記第１の位置に、前記放出部材を強制するための、バイアス手段を備え、これによって、前記放出手段が、前記コインを前記出口スロット方向に強制し、そこを通して、これらを強制的に放出する、ことを特徴とする。」（第３欄第42行〜第４欄第９行）
　上記記載によれば、甲第１号証には、以下の発明（以下、「引用発明」という。）が記載されているものと認められる。
「複数個のコインが平らに列で並べられて押し上げられ、上方の出口端から当該コインが放出されるようにしたチャネルと、このチャネルの前記上方の出口端を開閉するようにし、かつ当該チャネルの前記押し上げられてくるメダルによって、前記出口端が開かれるように移動する放出部材と、バイアス手段と、を備えているコイン処理装置。」
　
　甲第２号証（特開平5-73749号公報）には、メダル投出機に関して、図１〜７とともに、以下の事項が記載されている。
ａ）「図５はメダルリフタ２の上端のメダル投出口７およびエジェクタ機構を示しており、メダル投出口７は側方に向けて開口している。エジェクタ機構としては、メダル通路20の終端部において片側のガイド壁71が、メダルリフタ２の基板24に対して揺動軸72を中心に揺動可能に支持されるとともに、付勢手段としてのスプリング73により、揺動可能なガイド壁（以下実施例では「可動ガイド壁」という）71に対向する固定ガイド壁22に近づく方向に付勢されている。つまり、可動ガイド壁71は、メダル通路20の片側の固定ガイド壁21の終端に続く位置に設けられ、メダルＭをメダル投入口７側に案内するように下辺部に案内面71aを有し、中間部が揺動軸72に枢着されており、この可動ガイド壁71の上端突出部とメダルリフタ２との間にスプリング73が取り付けられている。さらにこの可動ガイド壁71には、メダルリフタ２の基板24に形成された切欠き部74を通してその背面側に突出するストッパ71bが連設され、図５(a)に示す基本位置においてストッパ71bが切欠き部74の下辺に当接し、このときの可動壁71の案内面71aとこれに対向する固定ガイド壁22終端との間隔がメダルＭの径よりも小さくなるように設定されている。」（段落【0016】）
　
　甲第３号証（実願昭63-83713号(実開平2-6375号)のマイクロフィルム）には、硬貨払出装置に関して、第１〜14図とともに以下の事項が記載されている。
a)「第４図のＥＥ断面図で示す第６図のように、円盤12の硬貨搬送孔12a内に複数枚の硬貨Ａ、Ｂが嵌挿された場合は、最下部の硬貨Ａのみが鋼球17と衝突してホッパ11の外側へ弾き出され、その上の硬貨Ｂは第７図で示すように円盤12の回転に伴い鋼球17を乗り越えて、硬貨搬送孔12aの最下部に移動する。そして鋼球17との次回の衝突によりホッパ11の外部へ弾き出される。一方、硬貨Ａが不自然な姿勢で円盤12の硬貨搬送孔12a内に嵌挿した場合、例えば第６図と同一部分を同一符号で示す第８図のように、傾斜した姿勢で硬貨搬送孔12a内に案内された場合でも、鋼球17が出没かつ回動自在に支承されているため、鋼球17が回転かつ下方へ移動して不自然な姿勢で案内された硬貨Ａを第９図で示すように鋼球17の上方へ逃がすので、硬貨Ａは鋼球17と硬貨搬送孔12aとの間で噛み込まれず、このため円盤12の回転ロックさせることがない。なお、不自然な姿勢で複数枚の硬貨が硬貨搬送孔12a内に案内された場合でも、第８図に示す硬貨Ａと同様に、鋼球17に硬貨が衝突すると当該鋼球17は下方へ没するとともに回転するので、このような複数枚の硬貨は第９図と同様に鋼球17の上方を通過して逃げ、このため複数枚の硬貨は鋼球17と硬貨搬送孔12aとの間で噛み込まれることはない。」（明細書第10頁第４行〜第11頁第11行）
　
　甲第４号証（実用新案登録第2500697号公報）には、硬貨払出装置に関して、第１〜16図とともに以下の事項が記載されている。
a)「前記硬貨ブロック手段13は第１図に示すように一対の球17と、該球17をホッパの底面を構成する底板15の所定位置に、常時は回動自在に所定高Ｈだけ露出させ、かつ、後述するように硬貨を払出す円盤12が硬貨の払出し方向へ回転し硬貨を前記球17と衝突させた際に、前記球17が前記底板15から没することを規制するとともに、前記円盤12が硬貨の払出し方向とは逆方向へ回転し硬貨を前記球17に衝突させた際に前記球17が前記底板15から出没することを許容する孔15aとから構成されている。なお、前記球17は、硬貨との衝突の際に容易に変形しないことが必要であるので、その材質は、鋼、あるいはセラミック等の、硬く、しかも変形しにくい材料で形成されている。また、前記孔15aの形状は、その要部拡大断面図で示す第６図のように、硬貨を払出す円盤12が矢印で示す硬貨の払出し方向へ回転し硬貨Ａが前記球17と衝突する際に、球17が底板15の下方へ没しないよう、一方の側15bが球17の周面と略同一な円弧形状をなしており、また一方の側15bと対向する他側15cは、円盤12が硬貨の払出し方向とは逆方向、つまり矢印方向とは逆方向へ回転し硬貨Ａが前記球17と衝突する際に球17が底板15の下方へ容易に出没できるよう所定角度傾斜した傾斜面となっている。なお第１図に示すように前記一対の球17は付勢手段であるＹ字形状の板バネ18により常時上方へ押圧されており、この板バネ18はネジ19によりホッパ11を構成する底板15に固着されている。また第１図で、前記球17が露出する高さＨは払い出す硬貨の一枚分の厚みの1/2よりも大きく、また硬貨の一枚分の厚みよりも小さく設定されていることが好ましい。」（第３頁左欄第43行〜右欄第23行）
　
　甲第５号証（実願平1-5607号（実開平2-130067号）のマイクロフィルム）には、円板状体搬送部構造に関し、第１〜８図とともに以下の事項が記載されている。
a)「第１図乃至第３図に示すように、一方側が開放された断面形状ほぼＣ字状の前記第１案内部材(10)の２つを上下方向に配置し、これら第１案内部材(10)，(10)の間にメダル(M)を受け渡し可能な状態で配置した該第１案内部材(10)とは形状の異なる第１案内部材(10)に板状部材(13)をビス止めし、この板状部材(13)に大小２つの孔(13A)，(13B)を形成すると共に、前記両孔(13A)，(13B)のうちの一方の孔(13B)に板状の弾性体としてのバネ(14)をビス止めし、かつ、この板バネ(14)にそれの一側面から突出してメダル(M)にそれの肉厚方向から接当する半球状でかつステンレス製の接当部(15)を前記他方の孔(13A)を通して搬送経路側へ突出した状態で付設して、前記逆移動阻止手段(A)を構成してある。尚、前記板状部材(13)は金属材料で構成する他、透明なプラスチック材料で構成してもよい。前記接当部(15)と前記第１案内部材(10)の摺接移動案内面(10A)との間には、メダル(M)の肉厚よりも小なる間隙が形成されており、メダル(M)の移送時に接当部(15)を摺接移動案内面(10A)から離間移動させる操作量を少なく済ませることができるようにしてある。尚、前記板状部材(13)を、前記接当部(15)の搬送経路側への最大突出量を規制する規制部と称する。」（明細書第11頁第17行〜第13頁第２行）
　
　甲第６号証（特開昭62-58384号公報）には、媒体計数装置に関し、第１〜６図とともに以下に事項が記載されている。
a)「第１図はこの発明の実施例である硬貨計数装置の硬貨振り分け機の概略構造図であっる。上方に開口したガイド溝2aを有するガイド２は、軸12によって底面から回転可能に支持されている。軸12はガイド駆動部35（第３図参照）によって回転され、同時にガイド２も図中矢印ａの方向に回転する。軸12の側面にはセンサアーム４が取付けられており、軸12の回転時にこのセンサアーム４の先端が通過する位置にはフォトセンサであるセンサ５（選択通路センサ）が配置されている。一方、この硬貨振り分け機１へ導かれる硬貨は、図示しない投入硬貨通路を通過し、ガイド溝2aへ上方から落下してくるが、ガイド溝2aの内部にはその硬貨をガイド溝2aの右又は左へ振り分けるフラッパ３が設置されている。このフラッパ３は図に示す位置にあるときには、落下してくる硬貨を右に振り分け、図中二点鎖線で示す位置にあるときは、落下してくる硬貨を左に振り分ける。このフラッパ３はフラッパ駆動部36（第３図参照）によって矢印ｂの間を回転移動される。」（第２頁左下欄第20行〜右下欄第20行）
　
　甲第７号証（特開平6-96328号公報）には、板状ワーク移送装置に関して、図１〜６とともに以下の事項が記載されている。
a)「請求項１または２に記載の装置において、投入シュートは、ガイドとの連接箇所近くに移送・取出し切替え用のゲートを備えることを特徴とする板状ワーク移送装置。」（特許請求の範囲の【請求項３】）
　
　甲第８号証（特開平6-79058号公報）には、メダル補給装置に関して、図１〜４とともに以下の事項が記載されている。
a)「メダル遊技機又はメダル貸機にメダルを補給するために、それらの上方に設け、メダル遊技機又はメダル貸機が並ぶ島端上部に補給されるメダルを移送して必要なところに落とせるメダル補給装置であって、前記メダル遊技機又はメダル貸機にメダルを振り分けるメダル振分部と、このメダル振分部にメダルを投入するベルトと、このベルトを掛け渡し、その中心軸が水平で、少なくともいずれか一方が駆動ローラーになっている下ローラー及び上ローラーとを有し、この上ローラーは同一の前記ベルト内では前記下ローラーよりも上に設けられ、前記上ローラーとこの上ローラーに掛け渡されたベルトに隣接するベルトの前記下ローラーとが上下方向にだぶり、前記下ローラー下方又は前記上ローラー下方に前記メダル振分部を設け、前記駆動ローラーはベルト上のメダルを前記下ローラー側から前記上ローラー側へ移送する回転方向である正回転と、この正回転と逆方向の回転である逆回転とに回転自在としたことを特徴とするメダル補給装置。」（特許請求の範囲の【請求項１】）
　
　甲第９号証（特開平5-274532号公報）には、自動販売機の硬貨処理装置に関して、図１〜３とともに以下の事項が記載されている。
a)「投入硬貨の適正を判別する硬貨判別器を備えた自動販売機の硬貨処理装置において、選別により適正と判定された硬貨が通過する受入通路と、該受入通路を通過してくる硬貨を払い出し用の硬貨として収納しておく硬貨パイプと、該硬貨パイプの満杯時に前記受入通路より通過してくる硬貨を受け入れる収金庫と、前記受入通路の終端にあって一方の面が前記硬貨パイプへのガイド面で他方の面が前記収金庫へのガイド面となっており該硬貨パイプの収納容量を越える分の投入硬貨が該硬貨パイプに導入されると当該投入硬貨を前記収金庫へ導く切換片と、外部から前記硬貨パイプに硬貨を補充できるよう前記切換片の前記硬貨パイプへのガイド面に対向して設けられる硬貨補充口と、前記切換片の作用にて前記硬貨パイプへ導入される硬貨及び前記硬貨補充口から補充される硬貨を検知するよう前記硬貨補充口の下方に配置される検知装置とを備えたことを特徴とする自動販売機の硬貨処理装置。」（特許請求の範囲の【請求項１】）
　
　甲第10号証（実願平3-63249号（実開平5-13490号）のCD-ROM）には、パチンコ玉貸機の硬貨払出・回収装置に関し、図１〜４とともに以下の事項が記載されている。
a)「パチンコ台間等に設置可能な薄箱状を有し、外部から投入または補給された硬貨を内部で貯留し、その硬貨を釣銭として払い出すとともに業務終了時には回収するパチンコ玉貸機の硬貨払出・回収装置において、前記の投入または補給された硬貨を硬貨径方向に整列させて貯留する硬貨貯留通路部と、この硬貨貯留通路部の末端から通路を払出し通路と回収通路とに分岐する分岐部と、この分岐部に設けられ、硬貨の厚み方向の回転軸を中心として回転可能とされかつ周面に硬貨の径方向の一部が没入し得る凹部を有していて正転または逆転により前記凹部が前記硬貨貯留通路部内の硬貨を１枚ずつ前記払出し通路または回収通路へ振分けて投出する振分け回転体と、この振分け回転体を正逆回転させる駆動手段とを具備することを特徴とするパチンコ玉貸機の硬貨払出・回収装置。」（実用新案登録請求の範囲の【請求項１】）
　
　甲第11号証（実願昭1-72157号（実開平3-13582号）のマイクロフィルム）には、自動販売機の硬貨回収装置に関し、第１〜７図とともに以下の事項が記載されている。
a)「投入硬貨を検出しかつ自動販売機本体と信号の授受を行うコインメカニズムと、硬貨の返却口及び硬貨収納用のキャッシュボックスに硬貨を導く集金シューターとを持った自動販売機において、前記コインメカニズムから払い出された硬貨を前記返却口に導く下部シューター内に、前記の払い出された硬貨を前記返却口に導くための通路と、前記キャシュボックスに硬貨を導くために追加した集金シューターへの通路とを構成させることのできる回転可能なガイド板を備えることを特徴とする自動販売機の硬貨回収装置。」（実用新案登録請求の範囲の請求項１）
　
(5)対比・判断　
　本件発明と引用発明を対比すると、引用発明の「コイン」、「出口端」、「チャネル」、「放出部材」、「バイアス手段」、「コイン処理装置」は、それぞれ本件発明の「円板体」、「開口」、「帯板状通路」、「開閉手段」、「弾性手段」、「円板体の揚送装置」に相当するものと認められるから、
　両者は、「少なくとも、複数個の円板体が平らに一列に整列して押し上げられ、上方の開口から当該円板体が放出されるようにした帯板状通路と、この帯板状通路の前記上方の開口を開閉するようにし、かつ当該帯板状通路の前記押し上げられてくる円板体によって、前記開口が開かれるように移動する開閉手段と、弾性手段と、を備えている円板体の揚送装置」の点で一致し、下記の点で相違する。
（相違点１）
 円板体が開口を通過すると、前者は、「開閉手段が円板体の面を押して、円板体を帯板状通路の背面側に放出し開口を閉じるように」したのに対し、後者は、そのような構成でない点。
（相違点２）
　前者は、「帯板状通路の背面側に放出されて落下する円板体を、当該通路背面側の左右いずれかのサイドにガイドするための振り分け体」を有するのに対し、後者は、そのような構成を有しない点
　上記相違点について検討する。
　まず、上記相違点１についてみると、「開閉手段が円板体の面を押して、円板体を帯板状通路の背面側に放出し開口を閉じるように」した点は、甲第２〜11号証には何ら記載されていないばかりでなく、示唆もされていない。
　そして、本件発明は、上記の点を有することにより、「本発明は、帯板状通路の上方から円板体を一個ずつ確実に当該通路の背面側に放出できる。」という明細書に記載の効果を奏するものである。
　そうすると、本件発明は、上記相違点２を検討するまでもなく、引用発明及び甲第２〜11号証に記載されたものに基づいて当業者が容易に発明をすることができたものということはできない。
　
　なお、本件発明に対する取消理由aは、上記(5)のとおり理由がないものとなり、また、〔２〕で示したとおりの訂正が認められた結果、取消理由bも解消した。
　
〔４〕むすび
　以上のとおりであるから、特許異議申立ての理由及び証拠によっては、本件発明の特許を取り消すことができない。
　また、他に本件発明の特許を取り消すべき理由を発見しない。
　よって、結論のとおり決定する。
【異議決定日】
平成１５年２月１７日（２００３．２．１７）
【訂正の要旨】
訂正事項
　ａ．特許請求の範囲の減縮を目的として、本件明細書中の【請求項２】ならびに【請求項３】をそれぞれ削除すると共に、【請求項１】を、
「【請求項１】少なくとも、
複数個の円板体（１〜９）が平らに一列に整列して押し上げられ、上方の開口（１０）から当該円板体が放出されるようにした
帯板状
この
帯板状
かつ当該帯板状通路の前記押し上げられてくる円板体（１〜９）によって、前記開口（１０）が開かれるように移動する開閉
前記円板体（１〜９）が前記開口（１０）を通過すると、前記開閉手段（２３）が当該円板体の面を押して、円板体を前記帯板状通路（１２）の背面側に放出し開口（１０）を閉じるようにするための
前記帯板状通路（１２）の背面側に放出されて落下する円板体（１〜９）を、当該通路背面側の
ための
を備えていることを特徴とした円板体の揚送装置。」
と訂正する。
　ｂ．これにともない、明瞭でない記載の釈明を目的として、本件明細書中の段落【０００５】を、
「【０００５】
　【課題を解決するための手段】本発明は少なくとも、複数個の円板体（１〜９）が平らに一列に整列して押し上げられ、上方の開口（１０）から当該円板体が放出されるようにした
帯板状
帯板状
かつ当該帯板状通路の前記押し上げられてくる円板体（１〜９）によって、前記開口（１０）が開かれるように移動する開閉
前記円板体（１〜９）が前記開口（１０）を通過すると、前記開閉手段（２３）が当該円板体の面を押して、円板体を前記帯板状通路（１２）の背面側に放出し開口（１０）を閉じるようにするための
前記帯板状通路（１２）の背面側に放出されて落下する円板体（１〜９）を、当該通路背面側の
ための
と訂正する。
（５４）【発明の名称】
円板体の揚送装置
（５７）【特許請求の範囲】
　【請求項１】少なくとも、
複数個の円板体（１〜９）が平らに一列に整列して押し上げられ、上方の開口（１０）から当該円板体が放出されるようにした
帯板状
この
帯板状
かつ当該帯板状通路の前記押し上げられてくる円板体（１〜９）によって、前記開口（１０）が開かれるように移動する開閉
前記円板体（１〜９）が前記開口（１０）を通過すると、前記開閉手段（２３）が当該円板体の面を押して、円板体を前記帯板状通路（１２）の背面側に放出し開口（１０）を閉じるようにするための
前記帯板状通路（１２）の背面側に放出されて落下する円板体（１〜９）を、当該通路背面側の
ための
を備えていることを特徴とした円板体の揚送装置。
【発明の詳細な説明】
　【０００１】
　【発明の属する技術分野】　本発明は、複数個の円板体を上方に揚げて送り出す、円板体の揚送装置に関する。本発明は、具体的には、貨幣である円板形のコイン、あるいは、ゲーム等に使用される円板形のメダルなどの円板体を複数個、上方に送り出すための円板体揚送装置に関する。本発明は、さらに具体的には、メダルの貸出し機を含む自動販売機、通貨の両替機、メダル使用のゲーム装置などに使用される、円板体の揚送装置に関する。
　【０００２】
　【従来の技術】　これまでの円板体の揚送装置としては、たとえば、米国特許第４、５１８、００１号公報に記載された、ものがある。この米国特許公報に開示されている、揚送装置は、概略的に説明すると、ホッパーによるコインの支払いアセンブリィを含むと共に、前後パネル、第１と第２の縁パネルをもつ長手なダクトを含み、さらに、下方の入口端と上方の出口端との間に、単一のエッジからエッジへの列で並べられた、コインを受け入れるためのチャネルを含み、このチャネルの入口端が、前記ホッパーの支払いシュートと連通し、そして、前記出口端の第１の縁パネルに、単一の出口スロットを含むコイン処理装置に関する。
　【０００３】そして、このコイン処理装置が、コインの放出アセンブリィを備え、このアセンブリィは、前記出口スロットを通るコインを、強制的に放出するための放出部材を含み、この放出部材は、前記出口端近くの前記チャネルに突出して、前記前後パネルにほぼ直角な軸まわりに回転可能であり、かつ、前記第１の縁パネルよりも前記第２の縁パネルの近くで、前記チャネルの幅に関して、前記出口スロットから離れる方向に中心ずれしている、第１の位置と、この第１の位置よりも前記出口スロットから離れている、第２の位置との間を移動可能である、ローラを備えると共に、前記第１の位置に、前記放出部材を強制するための、バイアス手段を備え、これによって、前記放出手段が、前記コインを前記出口スロット方向に強制し、そこを通して、これらを強制的に放出する、ことを特徴としている。
　【０００４】
　【発明が解決しようとする課題】　しかしながら、上述した従来の、コイン処理装置は、長手な帯板状のダクトの上方から、コインを板方向の一方向、たとえば、右方向のみに放出するため、放出されるコインの受け入れ装置が、一個しか設置できないという問題点があった。言い換えると、従来、上述の装置を使用すると、コインの受け入れ装置の一個に対して、一個の揚送装置が必要になるという欠点があった。本発明は、帯板状ダクトの各サイドに、コインの受け入れ装置をそれぞれ設置できるようにする目的から、開発されたものである。本発明は具体的には、帯板状のダクトの上方からコインを、たとえば、帯板状ダクトの背面側に放出するようにすると共に、背面の左右両方向に自在に振り分けできるようにする目的から開発されたものである。
　【０００５】
　【課題を解決するための手段】本発明は少なくとも、複数個の円板体（１〜９）が平らに一列に整列して押し上げられ、上方の開口（１０）から当該円板体が放出されるようにした
帯板状
帯板状
かつ当該帯板状通路の前記押し上げられてくる円板体（１〜９）によって、前記開口（１０）が開かれるように移動する開閉
前記円板体（１〜９）が前記開口（１０）を通過すると、前記開閉手段（２３）が当該円板体の面を押して、円板体を前記帯板状通路（１２）の背面側に放出し開口（１０）を閉じるようにするための
前記帯板状通路（１２）の背面側に放出されて落下する円板体（１〜９）を、当該通路背面側の
ための
　【０００６】
　【発明の実施の形態】　以下に本発明を、その実施について、添付の図面を参照して説明する。図１は、本発明による一実施例の要部を、サイドから見た、概略的な端面図である。図２は、図１の要部を右側から見た概略的な斜面図である。図３は、図２の上部を取り除いた、概略的な拡大斜視図である。図４は、図３の正面図である。図５は、図１の要部を左側から見た概略的な斜面図である。
　【０００７】図２ならびに図５に示される、長い大きな矩形板は背板１１で、この背板１１は、図１に示されるように、下方から、同じ姿勢で、一列に整列して押し上げられてくる、同形の円板体１、２、３、４を通過させるための、通路１２の一部を、構成している。図２の、背板１１に並行に形成されている帯板は、正面板１３で、円板体１〜４の通路１２の一部を構成し、背板１１と正面板１３との間隔は、円板体１〜４の一個の厚みにほぼ相当している。なお、正面板１３の上縁は、背板１１よりもやや低く形成され、正面板１３の中央には、細長孔１４が形成されている。さらに、背板１１と正面板１３との間には、細長い一対の縁板１５、１６が配設されていて、通路１２の一部を構成している。
　【０００８】なお、一対の縁板１５、１６の間隔は、円板体１〜４の一個の直径にほぼ相当している。また、縁板１５、１６は、背板１１よりもやや高く、上方まで形成されている。上述のことから、背板１１、正面板１３、一対の縁板１５、１６は、円板体１〜４を上方に通過させるための通路手段を、構成しており、この通路手段の上方の開口１０（図１を参照）は、後記するように、背板１１の上縁レベルになる。図２上方に示される、屈曲された、Ａ字を逆にした形の薄板は、規制板１７で、この規制板１７の下縁は、図１に示されるように、屈曲されて、正面板１３の上縁に固定されている。規制板１７の中央には、丸孔１８（図１参照）が形成され、規制板１７の上方には、長孔１９（図２参照）が形成されている。
　【０００９】図２の規制板１７の上に示される、ほぼＭ字形の小板は保持板２１で、この保持板２１の下方は、規制板１７の下縁に固定されている。保持板２１の上に示される、やや小さなＬ字形に屈曲された板は、板ばね２２で、この板ばね２２の下方は、保持板２１の下方に固定されている。図１、図２上方の球体２３は、板ばね２２の弾性力に抗して、保持板２１内に遊嵌状態に挿入され、通常は、規制板１７の丸孔１８と板ばね２２とによって保持されている。なお、保持板２１は、図２から明らかなように、球体２３が、左右にこぼれないように保持するためのものである。背板１１の裏面上縁部には、図３、図４に示されるように、小形の一対の厚板２４、２５が、それぞれ固定されて、円板体５、６、７、８、９を振り分けるための通路２６Ｒ、２６Ｌの一部である、ガイド面２４Ａ、２５Ａを、構成している。
　【００１０】図３、図４に示される、やや屈曲された大きな矩形板は、取り付け板２７であり、一対の厚板２４、２５に架け渡されて固定され、円板体５〜９の振り分け通路２６Ｒ、２６Ｌの一部を、構成している。なお、背板１１と取り付け板２７との間隔は、円板体１〜９の二個分の厚みにほぼ相当している。したがって、円板体１〜９の厚みに応じて、通路１２を調整する必要がある場合にも、通路２６Ｒ、２６Ｌの調整は必要がない場合が多い。なお、取り付け板２７の上方中央には長孔２８が形成され、中央には切り起こし片２９が形成されている。また、長孔２８の左右寄りの取り付け板２７には、一対のワッシャ２７Ｌ、２７Ｒが回転自在に配設されている。ワッシャ２７Ｌ、２７Ｒは、通路２６Ｒ、２６Ｌのスペイサであると共に、ガイド体でもある。図３、図４の３１は、端面半円形の検出片で、この検出片３１は、長孔２８を抜け止めスライド自在になり、検出片３１の裏側には、図５に示されるように、ほぼＺ字形の可動片３３が固定されている。
　【００１１】図１、図５に示される３４は、筒形のスプリングで、このスプリング３４は、可動片３３と切り起こし片２９とに架け渡されて、可動片３３を切り起こし片２９の方向に引きつけている。３５は横向きＵの字形のセンサで、可動片３３の移動通過を検出する。センサ３５は、図示の場合、近接スイッチであるが、光センサ、磁気センサなどであっても良いことは勿論である。なお、検出片３１、可動片３３、スプリング３４、センサ３５などは、検出手段を構成していることになる。図３、図４の中央に示される、Ｊ字形の振り分け体５１は、図の上方で、切り起こし片２９に枢軸５２され、上端面に、左右の振り分け通路２６Ｌ、２６Ｒを構成するための、ガイド面５３が形成されている。振り分け体５１の下方外側には、ピン５４が起立されている。
　【００１２】図５中央の、小さな、ほぼ箱形のアーム５５は、先端部にピン５４を遊嵌すると共に、ほぼ中央部が、略三角形の取り付け板５６に枢軸５７され、この取り付け板５６は、背板１１に固定されている。図面下方の箱形はソレノイド５８で、プランジャ５９の先端にピン６０を備え、このピン６０は、アーム５５の元端部に遊嵌されている。なお、ソレノイド５８は、取り付け板５６に配設されている
　【実施例】　上述の構成からなる本実施例は、図示を省略したが、良く知られている、メダルのホッパ装置などの、円板体の送出装置によって、円板体１、２、３、４が、通路１２内に押し上げられてくると、最も上の位置にある円板体４の上縁が、図１に示されるように、球体２３に当たり、さらに押し上げられると、板ばね２２の弾性力に抗して、球体２３が、図１の鎖線で示されるように、図１の右側に移動して、通路１２の開口１０が、開かれることになる。
　【００１３】したがって、通路１２内を押し上げられてくる円板体４は、さらに上方に移動されることになる。円板体４の下縁が、背板１１の上縁である開口１０から外れると、板ばね２２の弾性復元力によって、図１の実線で示されるように、球体２２が元の位置に戻り、円板体を、円板体５の位置に押し、通路１２の開口１０を塞ぐことになる。押し出された円板体５は、自由になって、このときのガイド面５３の位置によって、左右の通路２６Ｌ、２６Ｒに振り分けられることになる。すなわち、図４から明らかなように、たとえば、ソレノイド５８が作動されて、振り分け体５１が、実線の位置にあると、ガイド面５３は、右下がりに傾斜することになって、円板体５は、図４の右方向に誘導されることになり、円板体６、８の位置と、右方向に落下することになる。
　【００１４】振り分け体５１が、図４の鎖線の位置にあると、ガイド面５３は、左下がりに傾斜することになって、円板体５は、図４の左方向に誘導されることになり、円板体７、９の位置と、左方向に落下することになる。したがって、振り分け体５Ｌ、アーム５５、ソレノイド５８などは、振り分け手段を構成していることになる。一方、図１において、円板体４の位置から円板体５の位置に移動するとき、円板体４は、検出片３１を押し上げることになるから、スプリング３４に抗して、可動片３３が上方に移動して、センサ３５により検出されることになる。かくして、球体２３によって押し出された円板体５は、自由になり、通路２６Ｒ、２６Ｌのいずれかに誘導されて、自然落下することになるが、スプリング３４の復元力が働いて、スピードが増すことになる。
　【００１５】なお球体２３や板バネ２２などは通路１２の開口１０を開閉する手段を構成している。したがって此等を一体的に形成して例えば球体２３をもつ板バネ２２として正面板１３の上縁に固定しても良い。また図示を省略したが球面部分をもつ板バネとして正面板１３の上縁に固定しても良いことは勿論である。
　【発明の効果】以上のように本発明は簡単な構成の組み合わせによって大きな実用的な効果が得られる。たとえば本発明は、帯板状通路の上方から円板体を一個ずつ確実に当該通路の背面側に放出できる。加えて本発明は一個ずつ放出された円板体を、一個の振り分け体によって帯板状通路の左右いずれのサイドにも振り分けできる。言い換えると本発明は、帯板状通路の上方から円板体を一個ずつ確実に、しかも当該通路の左右いずれのサイドにも振り分けて放出できる。とくに本発明は、一個のメダル揚送装置によって二個のメダルゲーム装置を扱え得るという大きな効果がある。
【図面の簡単な説明】
　【図１】　本発明による一実施例の要部を、サイドから見た、概略的な端面図である。
　【図２】　図１の要部を右側から見た概略的な斜面図である。
　【図３】　図２の上部を取り除いた、概略的な拡大斜視図である。
　【図４】　図３の正面図である。
　【図５】　図１の要部を左側から見た概略的な斜面図である。
　【符号の説明】
　１、２、３、４、５、６、７、８、９：円板体、
　１０：開口、
　１１：背板、
　１２：通路、
　１３：正面板、
　１５、１６：縁板、
　２２：板ばね、
　２３：球体、
　２６Ｌ、２６Ｒ：通路、
　３１：検出片、
　３３：可動片、
　３４：スプリング、
　３５：センサ、
　５１：振り分け体、
　５３：ガイド面、
　５８：ソレノイド。